(57)【要約】      （修正有）【課題】手を使わなくても、液体容器から消毒液等の液体を排出できるスタンドを提供する。【解決手段】スタンド９００であって、基部１００と、当該基部１００から上下方向に延出する柱部２００と、液体が収容された液体容器を載置する載置部３００と、液体容器内の液体を外部に排出するための押圧部に当接可能な当接部４００と、基部１００側に設けられ、上下に移動可能なペダル部５００と、を備え、ペダル部５００は、連結部材２１０を介して当接部４００に連結されており、ペダル部５００が下方へ移動すると当接部４００も下方へ移動することを特徴とする。【選択図】図４
0003230150.tif 000002
【実用新案登録請求の範囲】
【請求項１】
スタンドであって、
基部と、当該基部から上下方向に延出する柱部と、
液体が収容された液体容器を載置する載置部と、
前記液体容器内の液体を外部に排出するための押圧部に当接可能な当接部と、
前記基部側に設けられ、上下に移動可能なペダル部と、を備え、
前記ペダル部は、連結部材を介して前記当接部に連結されており、前記ペダル部が下方へ移動すると前記当接部も下方へ移動することを特徴とするスタンド。
【請求項２】
前記液体容器の一部を固定可能な固定部を備え、
当該固定部は、前記載置部の上方において前記柱部に取り付けられており、
前記載置部と前記固定部により、前記液体容器の上部と下部側を固定することを特徴とする請求項１に記載のスタンド。
【請求項３】
前記載置部は、前記柱部に沿って上下方向に位置を調節可能なことを特徴とする請求項１又は２に記載のスタンド。
【請求項４】
前記固定部は、異なる種類の前記液体容器の一部を固定できるように、サイズの異なる環状部を備えることを特徴とする請求項２に記載のスタンド。
【考案の詳細な説明】
【技術分野】
【０００１】
本考案は、消毒液等の液体が収容された液体容器から液体を排出させるためのスタンドに関するものである。
【０００２】
近年、細菌やウイルス等による感染症拡大防止のため、スーパーやショッピングモール等の人が集まる場所に入る際は、消毒液で手を消毒している。具体的には、市販の消毒液が入った容器を机等の上に置いておき、各自が、容器頭部の押圧部を手で押して、必要な量の消毒液を手に排出して消毒している。ただ、手で容器頭部の押圧部を押して消毒液を排出しなければならず、両手が塞がっている場合などは特に不便であった。
【考案の概要】
【考案が解決しようとする課題】
【０００３】
そこで、本考案は、上記問題に鑑み、手を使わなくても、液体容器から消毒液等の液体を排出できるスタンドを提供する。
【課題を解決するための手段】
【０００４】
上記課題を解決するために、本考案のスタンドは、基部と、当該基部から上下方向に延出する柱部と、液体が収容された液体容器を載置する載置部と、前記液体容器内の液体を外部に排出するための押圧部に当接可能な当接部と、前記基部側に設けられ、上下に移動可能なペダル部と、を備え、前記ペダル部は、連結部材を介して前記当接部に連結されており、前記ペダル部が下方へ移動すると前記当接部も下方へ移動することを特徴とする。
【０００５】
上記特徴により、ペダル部を足で踏めば、手を使わなくても液体容器内の消毒液を排出できるので、利便性が高いのである。
【０００６】
さらに、本考案のスタンドは、前記液体容器の一部を固定可能な固定部を備え、当該固定部は、前記載置部の上方において前記柱部に取り付けられており、前記載置部と前記固定部により、前記液体容器の上部と下部側を固定することを特徴とする。
【０００７】
上記特徴により、液体容器は、上部と下部のそれぞれが載置部と固定部によって固定されて、スタンドに安定して取り付けられる。
【０００８】
さらに、本考案のスタンドは、前記載置部は、前記柱部に沿って上下方向に位置を調節可能なことを特徴とする。
【０００９】
上記特徴により、液体容器の大きさ（上下方向の高さ）が変わっても容易に対応することができる。
【００１０】
さらに、本考案のスタンドは、前記固定部は、異なる種類の前記液体容器の一部を固定できるように、サイズの異なる環状部を備えることを特徴とする。
【００１１】
上記特徴により、固定部の向きを変えて環状部を変更すれば、液体容器の種類を選ばす固定することが出来る。
【考案の効果】
【００１２】
上記の本考案によれば、手を使わなくても、液体容器から消毒液等の液体を排出できる
【図面の簡単な説明】
【００１３】
【図１】本考案のスタンドの斜視図である。
【図２】本考案のスタンドの正面図である。
【図３】本考案のスタンドの背面図である。
【図４】本考案のスタンドの側面図である。
【図５】本考案のスタンドの使用態様を示す側面図である。
【図６】本考案のスタンドの使用態様を示す側面図である。
【符号の説明】
【００１４】
１００        基部
２００        柱部
２１０        連結部材
３００        載置部
４００        当接部
５００        ペダル部
８００        液体容器
９００        スタンド
【考案を実施するための形態】
【００１５】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１６】
まず、図１から図４に本考案のスタンド９００を示す。なお、図１は、スタンド９００の全体斜視図、図２は、スタンド９００の正面図、図３は、スタンド９００の背面図、図４は、スタンド９００の側面図である。
【００１７】
スタンド９００は、店舗等の床面に設置する平坦な板状の基部１００と、基部１００側に設けられたペダル部５００と、基部１００に固定されて上下方向に延びる柱部２００と、柱部２００に取り付けられた載置部３００と、柱部２００の上端側に設けられた当接部４００と、載置部３００の上方に設けられた固定部６００とを備える。
【００１８】
柱部２００は、金属製の中空材であり、上下方向に直線状に延びている。また、柱部２００の内部には、上下方向に直線状に延びる連結部材２１０が設けられており、連結部材２１０は柱部２００内部を上下方向にスライドできるように構成されている。そして、連結部材２１０の下端２１１は、ペダル部５００のペダル軸５１０に連結されており、連結部材２１０の上端２１２は当接部４００に連結されている。そのため、後述するように、ペダル部５００が下方へ移動すると、ペダル部５００に連結した連結部材２１０も下方へ移動し、さらに、連結部材２１０の上端２１２に連結した当接部４００も下方へ移動することになる。
【００１９】
また、連結部材２１０の下端２１１には、ばねの態様の弾性部材２２０が設けられている。後述するように、ペダル部５００が下方へ移動して連結部材２１０が下方へスライドすると、弾性部材２２０は圧縮される。すると、圧縮されて弾性変形した弾性部材２２０の復元力によって、連結部材２１０は上方へ再びスライドし、連結部材２１０及びペダル部５００は元の位置に戻るのである。なお、弾性部材２２０は、ばねの態様であるが、これに限定されず、弾性変形可能で、変形後に元の状態へ復元できるのであれば、任意の部材を採用できる。
【００２０】
また、載置部３００は、略Ｌ形状をしており、液体容器を載置できるように平坦な載置面３１０と、柱部２００に固定される取付部３２０と、液体容器から排出された液体が床に垂れないように、液体を溜めるトレイ３３０を備える。取付部３２０は、柱部２００を挿通させる挿通孔３２１を備えているので、載置部３００は柱部２００に沿って上下方向にスライドできる。そして、上下方向にスライドさせた任意の位置で、ネジ等の固定部材３２２で柱部２００に固定すれば、載置部３００は柱部２００に強固に固定されることになる。
【００２１】
また、固定部６００は、液体容器の細くなった頭部の付け根付近を外れないように固定できるように、環状部６１０を備える。また、固定部６００は、柱部２００を挿通させる挿通孔６０１を備えているので、固定部６００は柱部２００に沿って上下方向にスライドできる。そして、上下方向にスライドさせた任意の位置で、ネジ等の固定部材６０２で柱部２００に固定すれば、固定部６００は柱部２００に強固に固定されることになる。また、固定部６００全体は、略Ｌ字形状をしており、一方の先端には環状部６１０を備え、他方の先端には、環状部６１０とはサイズが異なる環状部６２０を備えている。そして、固定部６００は柱部２００に着脱可能に取り付けられているので、異なる種類の液体容器の付け根付近の大きさに合わせ、サイズの異なる環状部６１０と環状部６２０とを向きを変えて付け替えることができる。
【００２２】
また、当接部４００は、略コ字形状をしており、後述する液体容器の頭部の押圧部に当接可能な上面４１０と、両側の側面４２０とを備える。また、柱部２００の上端には板状のホルダー７００を固定することができ、ホルダー７００にＰＯＰ等を取り付けて、顧客等に注意喚起を行うことができる。
【００２３】
次に、図５及び図６を参照して、スタンド９００の使用態様について説明する。なお、図５及び図６はスタンド９００の側面図である。
【００２４】
図５に示すように、スタンド９００を使用する際は、まず、液体容器８００をスタンド９００に取り付ける。具体的には、固定部材３２２を緩めて載置部３００を柱部２００に沿って上下にスライド可能にする。同様に、固定部材６０２を緩めて固定部６００を柱部２００に沿って上下にスライド可能にする。そして、液体容器８００の下部側の底部８１０を載置部３００の載置面３１０に載せ、液体容器８００の上部側の頭部８３０の付け根８２０付近を固定部６００の環状部６１０で固定する。その状態で、液体容器８００の頭部８３０に取り付けられた押圧部８４０が、スタンド９００の当接部４００の上面４１０に当接するように、載置部３００の位置を上下に調節し、その位置で固定部材３２２及び固定部材６０２を締め付ける。すると、液体容器８００は、上部と下部のそれぞれが載置部３００と固定部６００によって固定されて、スタンド９００に安定して取り付けられる。
【００２５】
そして、スタンド９００を店舗等の入り口に設置しておき、図６に示すように、利用者は自身の足Ｆでペダル部５００を下方へ踏む。すると、ペダル部５００に連結された連結部材２１０は下方へスライドし、連結部材２１０を介して当接部４００も下方へ移動する。当接部４００は液体容器８００の押圧部８４０に当接しているので、当接部４００が下方へ下がると、押圧部８４０は下方へ押圧されて、液体容器８００内の消毒液等の液体がノズルＮから手Ｈに向けて噴射されるのである。そして、ペダル部５００から足を離せば、弾性部材２２０によって連結部材２１０が上方へスライドするのに伴い、当接部４００も上方へ移動して元の位置に戻るのである。すると、押圧部８４０も上方へ移動して元の位置に戻り、消毒液等の液体の排出が止まるのである。
【００２６】
このように、本考案のスタンド９００によれば、手Ｈを使わなくても液体容器８００内の消毒液を排出できるので、利便性が高いのである。また、載置部３００は、柱部２００に沿って上下の位置を調節できるので、液体容器８００の大きさ（上下方向の高さ）が変わっても容易に対応することができる。
【００２７】
また、図２に示すように、当接部４００は、上面４１０と両側の側面４２０とを備えた、略コ字形状をしているので、当接部４００がノズルＮ及び押圧部８４０を両側から囲み、ノズルＮ及び押圧部８４０が不用意に回転して、当接部４００から外れることを防止できる。
【００２８】
なお、図５及び図６では、液体容器８００の押圧部８４０が、当接部４００の上面４１０に当接するように、載置部３００の位置を上下に調節していたが、これに限定されない。例えば、液体容器８００の押圧部８４０と当接部４００の上面４１０の間に僅かに隙間ができるように、載置部３００の位置を調節しておけば、ペダル部５００を踏んで、当接部４００が液体容器８００の押圧部８４０に当接した際、押圧部８４０が下方へ押し込まれる量の調節ができる。そのため、ペダル部５００を踏んだ際の液体容器８００内の液体の噴射量を調節でき、利便性が高いのである。
【００２９】
なお、本考案のスタンドは、消毒液が収容された液体容器８００から消毒液を排出するために利用されているが、これに限定されず、消毒液の他にも、目的に応じた液体を収容した液体容器８００から当該液体を排出するために利用してもよい。また、固定部６００は、液体容器８００の頭部８３０の付け根８２０を固定していたが、これに限定されず、固定部６００は、載置部３００の上方において、液体容器８００の任意の一部を固定できるのであれば、任意の態様であってもよい。また、本考案のスタンドは、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003230150.tif 000003
【図２】
0003230150.tif 000004
【図３】
0003230150.tif 000005
【図４】
0003230150.tif 000006
【図５】
0003230150.tif 000007
【図６】
0003230150.tif 000008